(57)【要約】【目的】１つの米びつ計量装置において、精米しただけの米も無洗米も簡単な操作を行うだけで同量計量できるようにする。【構成】従来の計量装置に対し、計量部Ａに進退自在に突出するひさし状部材２６ａを設け、精米しただけの米を計量する場合には、ひさし状部材２６ａを後退させ、従来通りの計量を行わせ、無洗米を計量する場合にはひさし状部材２６ａを前進させ、ひさし状部材２６ａの下方に米が入り込まない空所Ｓを形成し、精米しただけの米と同重量の米を計量するようにした米びつ計量装置。【選択図】　図３
2004037179.tif 000002
【特許請求の範囲】
【請求項１】
米貯蔵室に連結され上部に米流入口を下部に米流出口を有する計量室と、
上部に前記計量室への米の流入を遮断する第１の弁部と、下部に前記計量室からの米の流出を遮断する第２の弁部とを備え、前記計量室を区切り一定量の米を排出する計量升と、
該計量升を回動する計量キーとを備えた米びつの計量装置において、
前記計量升部の一部に米が貯留されない空所を形成するためのひさし状部材を前記計量室に対し進退自在に設けたことを特徴とする米びつの計量装置。
【請求項２】
前記ひさし状部材と一体的に形成され、該部材の進退を操作する操作部が前記計量室上方に臨むように設けたことを特徴とする請求項１記載の米びつの計量装置。
【発明の詳細な説明】
【０００１】
【産業上の利用分野】
本発明は、米を貯蔵保管し例えば１合単位で計量して取り出せるような米びつの計量装置に関する。
【０００２】
【従来の技術】
従来この種の装置として、図１に示すものが知られている。図１において、１は米貯蔵部の米排出口に取り付けられる計量装置で、一定量の米が収容される計量室２と、該計量室２内を区切り一定量の米を計量する計量升３と、該計量升３を揺動する計量キー４とを備えている。
【０００３】
前記計量室２は、上部に米の流入口２ａを開口し、下部に米の流出口２ｂを開口しており、前記計量升３は、上部に計量室２の米流入口２ａを開閉する弁部３ａを備え、下部に計量室２の米流出口２ｂを開閉する弁部３ｂを備えている。そして、計量升３は、通常時に弁部３ａが米流入口２ａを開放し、弁部３ｂが米流出口２ｂを遮断した状態になるようにバネ５によって付勢されている。
【０００４】
これによって、米貯蔵部からの米が計量室２内に収容され、計量キー４を下方に押し込むことで計量升３が付勢に抗して揺動し、弁部３ａが米流入口２ａを遮断するとともに弁部３ｂが米流出口２ｂを開放して、一定量の米を計量して排出するものである。
【０００５】
【発明が解決しようとする課題】
ところで、近年、市場に流通するようになった無洗米は、従来の精米しただけの米に比較して、米表面の糠が採られているため、米表面の滑りが良く、前記のような従来の計量装置で計量すると、計量升内に米が密に入り込み、米が多めに計量排出されることとなり、従来と同量の水で炊飯を行った場合、米が硬めに炊きあがることになってしまうので、目分量で若干水の量を増やす必要が生じていた。
【０００６】
【課題を解決するための手段】
このような課題を解決するために本発明は、米貯蔵室に連結され上部に米流入口を下部に米流出口を有する計量室と、上部に前記計量室への米の流入を遮断する第１の弁部と、下部に前記計量室からの米の流出を遮断する第２の弁部とを備え、前記計量室を区切り一定量の米を排出する計量升と、該計量升を回動する計量キーとを備えた米びつの計量装置において、前記計量升部の一部に米が貯留されない空所を形成するためのひさし状部材を前記計量室に対し進退自在に設けた米びつの計量装置を提供することを要旨とするものである。
【０００７】
また、前記ひさし状部材と一体的に形成され、該部材の進退を操作する操作部が前記計量室上方に臨むように設けるとより好ましい態様となる。
【０００８】
【作用】
精米しただけの米を計量する場合には、計量室に米を投入する前に、上部にある米投入口から手を差し入れ、ひさし状部材を計量室から退出する方向に移動させる。すると計量升部には空所は形成されず、従来通りの計量が行える。
【０００９】
無洗米を計量する場合には、やはり米投入前に、上部にある米投入口から手を差し入れ、ひさし状部材を計量室に進入させる方向に移動させる。すると計量升部のひさし状部材の下方には空所が形成され、計量を行うと空所の分だけ米が少なく計量され、精米しただけの米を計量した場合と同じ量の米が計量排出される。
【００１０】
【実施例】
以下、図面を用いて本発明の一実施例について説明する。図２は本発明を採用した米びつの内部断面図であり、１０は米びつ本体で、米を貯蔵する米貯蔵室１１と、該米貯蔵室１１内の米を計量排出する計量装置１２とを内蔵している。１３は米貯蔵室１１上面に着脱される米投入蓋で、米貯蔵室１１内に米を補充する際に着脱される。１４は計量装置１２を含む米びつ本体１０の前面に設けられる前面板で、計量装置１２を作動させる計量キー１５が突出している。１６は計量装置１２の下方に位置し、本体１０下部に引出自在に設けられる米受容器で、計量装置１２で計量された米を取り出すものである。
【００１１】
図３は計量装置１２付近を拡大した説明図であり、これを用いて本発明の特徴的構成を説明する。１８は計量室で、上面，底面及び前面を開放した平面視コ字状に形成され、漏斗状に形成される米貯蔵室１１の米排出口１１ａに嵌着固定されて上部に米流入口１８ａ，底部に米流出口１８ｂを形成するとともに、前面に該米流入口１８ａと米流出口１８ｂの間で米の流通を遮断する計量升１９が回動自在に取り付けられている。
【００１２】
計量升１９は、上部に計量室１８の米流入口１８ａを開閉するための円弧状の遮蔽板１９ａを設け、下部に計量室１８の米流出口１８ｂを開閉するための平板状の遮蔽板１９ｂが形成されている。また、計量升１９の背面には、各遮蔽板１９ａ，１９ｂ間の略中心となる位置に軸ピン２０が貫通する軸リブ１９ｃが突出形成され、計量升１９を回動自在に支持している。
【００１３】
また、計量升１９の背面には、上部遮蔽板１９ａの円弧形状と合わせて軸リブ１９ｃの水平位置まで延長した扇形の押上リブ１９ｄが形成されており、前記計量キー１６の先端が作用して計量升１９を回転させるものである。
【００１４】
計量キー１６は、前方に指を載せるよう押圧部１６ａを設け、各角が直角になる略Ｚ字状の操作アーム１６ｂを該押圧部１６ａから計量升１９に向かって延出している。操作アーム１６ｂの略中心部には計量キー１６を揺動支持する軸ピン２１が貫通される軸孔１６ｃが開口され、先端部には前記計量升１９の押上リブ１９ｄが案内される溝部１６ｄを設けられている。また、溝部１６ｄには操作アーム１６ｂの揺動時に押上リブ１９ｄを押し上げて計量升１９を回転させる支持リブ１６ｅが設けられ、押上リブ１９ｄが溝部１６ｄから外れないように上方に膨出した外れ防止リブ１６ｆが形成されている。
【００１５】
２２はバネで、前記計量升１９の軸ピン２０の周りに取り付けられ、計量升１９の遮蔽板１９ｂが計量室１８の米流出口１８ｂを遮断するように付勢するとともに、前記計量キー１６の軸ピン２１の周りに取り付けられ、計量キー１６の押圧部１６ａが水平になる状態に付勢するもので、計量升１９と計量キー１６とはこの１つのバネで常態に付勢されるものである。
【００１６】
計量室１８の内面には、米貯蔵室１１からの米を計量部Ａに導くように内方に傾斜させたシュート部２４と、該シュート部２４の面に開けられたガイド孔２５と、ガイド孔２５を貫通し、操作部２６ｂと一体的に形成されたひさし状部材２６ａがシュート部２４上をスライド可能なように係止するガイドピン２７と、ガイドピン２７がガイド孔２５の両端で保持されるようにするための板バネ２８と、板バネ２８を固定するための固定ピン２９とが設けられている。
【００１７】
次に、このように構成される本発明の計量装置の動作を説明する。図４乃至６は計量室１８の拡大断面図で、精米しただけの米を計量する場合、図４に示すように、まず、米貯蔵室１１内に米が入っていない状態で、米投入蓋１３を開放し、その開口より手を差し入れ、操作部２６ｂを操作し、ひさし状部材２６ａをシュート部２４に沿ってせり上がるようにスライドさせておく。この時、ひさし状部材２６ａはガイドピン２７と一体にスライドし、ガイドピン２７の下面が板バネ２８により保持され、ひさし状部材２６ａがシュート部２４下端部より突出しない位置で係止されることになる。
【００１８】
この後、米貯蔵室１１内に米を投入し、計量室１８内に充満させる。そして、計量キー１６を完全に押し込むと、図５に示すように、上部遮蔽板１９ａが米流入口１８ａを遮断し下部遮蔽板１９ｂが米排出口１８ｂを開放して米受容器１６に一定量（ここでは１合、約１５０グラム）の米が排出される。
【００１９】
次に、本願発明の装置を使用し、無洗米の計量を行う場合について説明する。図６に示すように、まず、米貯蔵室１１内に米が入っていない状態で、米投入蓋１３を開放し、その開口より手を差し入れ、操作部２６ｂを操作し、ひさし状部材２６ａをシュート部２４に沿って下方にスライドさせておく。この時、ひさし状部材２６ａはガイドピン２７と一体にスライドし、ガイドピン２７の下面が板バネ２８により保持され、ひさし状部材２６ａがシュート部２４下端部より突出した位置で係止されることになる。
【００２０】
この後、米貯蔵室１１内に米を投入し、計量室１８内に充満させる。しかし、ひさし状部材２６ａがシュート部２４よりせり出しているため、米はひさし状部材２６ａ下方には入り込まず、空所Ｓが形成される。これにより、計量部Ａには精米しただけの米の時よりも所定量少なく入っていることになるが、無洗米は精米しただけの米より滑りが良く、より密に計量部Ａ内に入り込んでいるため、計量される米の重量的には同量（ここでは１合、約１５０グラム）となる。そして、計量キー１６を完全に押し込むと、図７に示すように、上部遮蔽板１９ａが米流入口１８ａを遮断し下部遮蔽板１９ｂが米排出口１８ｂを開放して米受容器１６に一定量（ここでは１合約１５０グラム）の米が排出される。
【００２１】
【発明の効果】
本発明の米びつの計量装置は以上のように構成されるので、ひさし状部材を所定の位置に切り換えるだけで、精米しただけの米も無洗米も同量計量することができ、１台の計量装置で両方の米が計量でき、炊飯時の水の量も共通でよくなる。また、切換操作が米投入口からワンタッチで行え、手間がかからない。また、切換部の構造が簡単なため、従来の米びつ計量装置に対し、容易に改造が可能である。
【図面の簡単な説明】
【図１】従来の米びつの計量装置を示す説明図である。
【図２】本発明の計量装置を備えた米びつの内部断面図である。
【図３】本発明の計量装置を示す説明図である。
【図４】同装置における精米しただけの米を計量する場合の説明図である。
【図５】同装置の作動状態を示す説明図である。
【図６】同装置における無洗米を計量する場合の説明図である。
【図７】同装置の作動状態を示す説明図である。
【符号の説明】
１１　　米貯蔵室
１６　　計量キー
１８　　計量室
１８ａ　米流入口
１８ｂ　米流出口
１９　　計量升
１９ａ　上部遮蔽板（第１の弁部）
１９ｂ　下部遮蔽板（第２の弁部）
２６ａ　ひさし状部材
２６ｂ　操作部
Ｓ　　　空所
【図１】
2004037179.tif 000003
【図２】
2004037179.tif 000004
【図３】
2004037179.tif 000005
【図４】
2004037179.tif 000006
【図５】
2004037179.tif 000007
【図６】
2004037179.tif 000008
【図７】
2004037179.tif 000009